(57)【要約】【課題】ディスクに記録された各データの記録開始位置を予め読み出して保持するために必要な記憶容量を削減することができるディスク再生装置を提供する。【解決手段】ＣＤに記録可能な合計のフレーム数を予め定めた単位フレーム数ごとの複数のグループに分け、ＣＤから読み出したトラックの記録開始位置に基づいて、このトラックが属するグループの先頭位置からこのトラックの記録開始位置までに記録されたフレーム数であるオフセットと当該グループ内のトラック数を算出する制御部６と、制御部６が算出したオフセットの値を、ＣＤの記録順に付与されたトラック番号順に記憶し、グループごとにグループ内トラック数を記憶するメモリ６ａとを備える。【選択図】図１
2015162256.tif 000002
【特許請求の範囲】
【請求項１】
ディスクからファイルの記録開始位置を予め読み出して保持し、保持した記録開始位置を用いて前記ディスクから前記ファイルを読み出し再生するディスク再生装置であって、
前記ディスクに記録可能な合計のフレーム数を予め定めた単位フレーム数ごとの複数のグループに分け、前記ディスクから読み出したファイルの記録開始位置に基づいて、当該ファイルが属するグループの先頭位置から当該ファイルの記録開始位置までに記録されたフレーム数であるオフセットと当該グループ内のファイル数を算出する制御部と、
前記制御部が算出した前記オフセットの値を、前記ディスクの記録順に付与された前記ファイルの番号順に記憶し、前記グループごとに前記グループ内のファイル数を記憶するメモリとを備えるディスク再生装置。
【請求項２】
前記制御部は、目的のファイルの番号情報および前記グループ内のファイル数に基づいて当該ファイルが属するグループを特定し、前記ディスクにおけるファイルの先頭記録位置から当該グループの先頭位置までに記録されたフレーム数である基準値と前記目的のファイルの番号情報に対応する前記オフセットの値とに基づいて前記ディスクにおける当該ファイルの記録開始位置を特定することを特徴とする請求項１記載のディスク再生装置。
【発明の詳細な説明】
【技術分野】
【０００１】
この発明は、コンパクトディスク（ＣＤ）に記録された情報を再生するディスク再生装置に関する。
【背景技術】
【０００２】
ポータブル再生機器や車載用再生機器においては、基板の省スペース化や低コスト化のため、１チップマイコンを搭載し、極限られたメモリ容量しか持たないものが多い。
これに対して、近年は圧縮ファイル再生への対応が要求され、加えて圧縮技術の進歩もあり、ＣＤに収録可能なファイル数が増大する傾向にある。例えば、コンパクトディスク−デジタルオーディオ（ＣＤ−ＤＡ）の場合、規格上の記録上限は９９トラック（曲）であるが、ファイルの場合は明確な制限がない。このため、ファイルは、ＣＤの記録容量に到達するまで記録が可能である。一方、再生装置側で対応可能なファイル数は、再生装置が備えるメモリの記憶領域で管理可能な数が上限となる。
【０００３】
また、ＣＤに記録されている楽曲の先頭位置（記録開始位置）にアクセスする際には、ディスクのＴＯＣ（Ｔａｂｌｅ  Ｏｆ  Ｃｏｎｔｅｎｔｓ）領域またはファイルシステムなどの管理領域から読み出された記録開始位置情報が利用される。
なお、楽曲の記録開始位置にアクセスする度に、ディスクからその楽曲の記録開始位置情報を読み出すのでは時間がかかり非常に効率が悪いため、一般には、各楽曲の記録開始位置情報を予め読み出してディスク再生装置が搭載するメモリに記憶しておく。
楽曲を再生する際は、メモリに記憶しておいた記録開始位置情報を利用して当該楽曲の記録開始位置にアクセスする（例えば、特許文献１参照）。
【先行技術文献】
【特許文献】
【０００４】
【特許文献１】特開２００５−６３５５６号公報
【発明の概要】
【発明が解決しようとする課題】
【０００５】
ＣＤのＴＯＣ領域に記録される各トラックの記録開始位置情報を、ディスク再生装置がそのまま読み込んでメモリに保持する場合、１トラック（トラックファイル）について、“分”、“秒”、“フレーム”に対応する各１バイト（計３バイト）の記憶領域が必要である。すなわち、ＣＤ−ＤＡで記録可能な９９トラック分の記録開始位置情報を記憶するには、メモリに９９×３＝２９７バイトの記憶領域が必要となる。
一方、ＣＤ−ＲＯＭには規格上ファイルの記録数に上限はない。仮に、ＣＤ−ＲＯＭに１０００ファイル記録されている場合、これら全てのファイルの記録開始位置情報をディスク再生装置がメモリに保持するには１０００×３＝３０００バイトの記憶領域が必要となる。
【０００６】
ＤＶＤまたはＢｌｕ−ｒａｙ（登録商標）などの記録情報を再生する、比較的に高価なディスク再生装置では十分な容量の記憶領域を持っているものが多い。
しかしながら、ＣＤ専用の安価なディスク再生装置では、比較的少ない容量の記憶領域しか持たないものも多い。
従って、このようなディスク再生装置においては、一回の記録開始位置の読み出しで扱えるトラックの数を少なく制限して、トラックの記録開始位置情報を記憶するための記憶領域を確保する必要があった。
【０００７】
この発明は上記のような課題を解決するためになされたもので、ディスクに記録された各データの記録開始位置を予め読み出して保持するために必要な記憶容量を削減することができるディスク再生装置を得ることを目的とする。
【課題を解決するための手段】
【０００８】
この発明に係るディスク再生装置は、ディスクからファイルの記録開始位置を予め読み出して保持し、保持した記録開始位置を用いてディスクからファイルを読み出し再生するディスク再生装置であって、ディスクに記録可能な合計のフレーム数を予め定めた単位フレーム数ごとの複数のグループに分け、ディスクから読み出したファイルの記録開始位置に基づいて、当該ファイルが属するグループの先頭位置から当該ファイルの記録開始位置までに記録されたフレーム数であるオフセットと当該グループ内のファイル数を算出する制御部と、制御部が算出した前記オフセットの値を、ディスクの記録順に付与されたファイルの番号順に記憶し、グループごとにグループ内のファイル数を記憶するメモリとを備える。
【発明の効果】
【０００９】
この発明によれば、ディスクに記録された各ファイルの記録開始位置を保持するために必要な記憶容量を削減することができるという効果がある。
【図面の簡単な説明】
【００１０】
【図１】この発明の実施の形態１に係るディスク再生装置の構成を示すブロック図である。
【図２】ＣＤのＴＯＣ領域におけるデータ構造を示す図である。
【図３】従来の記録開始位置情報の記憶領域を示す図である。
【図４】実施の形態１に係るディスク再生装置によるトラックの記録開始位置情報の保持処理を示すフローチャートである。
【図５】実施の形態１におけるグループ分けの概要を示す図である。
【図６】実施の形態１における記録開始位置情報の記憶領域を示す図である。
【図７】実施の形態１に係るディスク再生装置によるトラック読み出し処理を示すフローチャートである。
【発明を実施するための形態】
【００１１】
実施の形態１．
図１は、この発明の実施の形態１に係るディスク再生装置の構成を示すブロック図である。また図２は、ＣＤのＴＯＣ領域におけるデータ構造を示す図である。図１において、ディスク再生装置１は、光ピックアップ２、ＲＦアンプ３、デジタルシグナルプロセッサ（ＤＳＰ）４、スピーカ５、制御部６、ドライバ７およびスピンドルモータ８を備える。
光ピックアップ２によって光ディスクｄから読み出された信号は、ＲＦアンプ３を経由してＤＳＰ４に入力される。ＤＳＰ４は、ＲＦアンプ３から入力された信号に基づいて、音声信号とＳＵＢコードなどの制御データを生成する。
【００１２】
制御部６は、ＤＳＰ４からＳＵＢコードを入力し、ＳＵＢコードに基づいてＴＯＣ情報と再生位置のアドレス情報とを読み出し、光ディスクｄにおける再生位置を制御するためにＤＳＰ４へ制御命令を送信する。ＤＳＰ４は、ドライバ７を経由して光ピックアップ２とスピンドルモータ８を駆動して光ディスクｄの再生位置を制御することにより、所望の位置のファイルを再生する。
【００１３】
光ディスクｄ、例えばＣＤのＴＯＣ領域には、プログラム領域に記録されたトラック（トラックファイル）の記録開始位置（アドレス）を示す情報が存在し、図２に示すように、１トラックにつき分、秒、フレームが各１バイトで記録されている。“ＰＯＩＮＴ”が１〜９９であるとき、“ＰＯＩＮＴ”の値はトラック番号を示している。トラック番号はトラックの記録順の番号情報に相当する。“ＰＯＩＮＴ”の値で特定されるトラックの記録開始位置は、“ＰＭＩＮ”、“ＰＳＥＣ”、“ＰＦＲＡＭＥ”の値で表される。
【００１４】
制御部６は、光ピックアップ２、ＲＦアンプ３およびＤＳＰ４を用いてトラックごとに“ＰＭＩＮ”、“ＰＳＥＣ”、“ＰＦＲＡＭＥ”の値で示される記録開始位置をＣＤから予め読み出してメモリ６ａに保持する。例えば、ＣＤに記録された楽曲データを選曲して再生する場合、制御部６が、メモリ６ａに予め保持した記録開始位置に関する情報を利用して所望の楽曲データのトラックの記録開始位置を特定する。そして、制御部６は、ＤＳＰ４に指示してドライバ７を駆動させることで、特定した上記記録開始位置に光ピックアップ２を移動させて当該トラックの楽曲データの再生処理を開始する。
【００１５】
ＣＤには規格上、最大で９９トラックを記録することが可能である。このため、従来では、図３に示すように、各トラックの記録開始位置情報を保持するメモリ６ａにおいて、９９（トラック）×３（バイト）＝２９７バイトの記憶領域を確保しなければならなかった。すなわち、記録開始位置を示す分、秒、フレームの値が各１バイトであるため、合計３バイトが９９トラック分だけ必要となる。
また、ＣＤ−ＲＯＭは記録可能なファイル数に理論上の制限はないが、例えば１０００ファイルを記録する場合、従来は、メモリ６ａに１０００（ファイル）×３（バイト）＝３０００バイトの記憶領域が必要であった。
【００１６】
そこで、本発明では、制御部６が、ＣＤに記録可能な合計フレーム数を予め定めた単位フレーム数ごとの複数のグループに分け、ＣＤから読み出したトラックの記録開始位置に基づいて、このトラックが属するグループの先頭位置からこのトラックの記録開始位置までに記録されたフレーム数であるオフセットおよびこのグループ内のトラック数を算出してメモリ６ａに記憶する。オフセットおよびグループ内のトラック数は、分、秒、フレームに比べて少ない容量でトラックの記録開始位置を表すことができる。これにより、ＣＤに記録された各トラックの記録開始位置を保持するために必要な記憶容量を削減できる。
【００１７】
次に動作について説明する。
図４は実施の形態１に係るディスク再生装置によるトラックの記録開始位置情報の保持処理を示すフローチャートである。この図４に沿って、ＣＤのＴＯＣ情報から読み出したトラックの記録開始位置に基づいてオフセットとグループ内トラック数を算出してメモリ６ａに保持する処理について述べる。
まず、制御部６は、ＣＤのＴＯＣ情報から各トラックの記録開始位置を読み出すにあたり、ＣＤの記録順の先頭にあるトラックのトラック番号を、トラック番号を示す変数ｔに設定し、グループを示す配列ｇ（０）〜ｇ（６）の値をそれぞれ０クリアする（ステップＳＴ１）。なお、トラック番号はＣＤの記録順にトラックに付与された番号情報であり、ＣＤの記録順の先頭からの通し番号となる。
【００１８】
ＣＤで記録可能な記録時間は、理論上最大９９分５９秒７４フレームである。これをフレーム数に換算した場合、最大で４４９９９９フレームとなる。制御部６は、この最大のフレーム数を、２バイトで表現可能な数値の最大値である６５５３６で除算することにより、図５に示すように複数のグループに分ける。
すなわち、分、秒、フレームで記録開始位置を表現する３バイトより少ない２バイトで表現可能な数値の最大値である６５５３６を単位フレーム数とし、ＣＤに記録可能な合計フレーム数の４４９９９９フレームを単位フレーム数で除算して７つのグループ１〜７に分けている。
【００１９】
図５において、グループ１は、０番目〜６５５３５番目のフレームが属するグループであり、配列ｇ（０）で表される。グループ２は６５５３６番目〜１３１０７１番目のフレームが属するグループであり、配列ｇ（１）で表される。グループ３は１３１０７２番目〜１９６６０７番目のフレームが属するグループであり、配列ｇ（２）で表される。グループ４は１９６６０８番目〜２６２１４３番目のフレームが属するグループであり、配列ｇ（３）で表される。グループ５は２６２１４４番目〜３２７６７９番目のフレームが属するグループであり、配列ｇ（４）で表される。グループ６は３２７６８０番目〜３９３２１５番目のフレームが属するグループであり、配列ｇ（５）で表される。グループ７は３９３２１６番目〜４４９９９９番目のフレームが属するグループであり、配列ｇ（６）で表される。
【００２０】
次に、制御部６は、変数ｔに設定されたトラック番号のトラックの記録開始位置をＣＤのＴＯＣ情報から読み出す（ステップＳＴ２）。なお、このとき読み出されるトラックの記録開始位置は、分、秒、フレームで表される時間で規定されている。
制御部６は、上述のように時間で規定されている記録開始位置を、記録開始位置までに記録されたフレーム数に換算し、記録開始位置までのフレーム数を表す変数ｆに設定する（ステップＳＴ３）。
【００２１】
続いて、制御部６は、変数ｆに設定されたフレーム数を６５５３６で除算し、その商を変数ｎに設定する（ステップＳＴ４）。ここで、変数ｎはグループ１〜７の番号１〜７が設定される変数である。すなわち、トラックの記録開始位置までに記録されたフレーム数を単位フレーム数に１を加算した値で除算しているので、その商は、１〜７のいずれかに近似でき、このトラックが１〜７のどのグループに属しているかを示す値となる。
【００２２】
変数ｔに設定されたトラック番号のトラックが配列ｇ（ｎ）のグループに属するので、制御部６は、配列ｇ（ｎ）に１を加算する（ステップＳＴ５）。
このようにして配列ｇ（ｎ）に属するトラック数が算出される。配列ｇ（ｎ）に設定されるトラック数をグループ内トラック数（グループ内のファイル数）とする。
上述したように、ＣＤには規格上で最大９９トラックの記録可能である。９９は８桁の二進数で表せるため、グループごとのトラック数（グループ内トラック数）の値は１バイトで表すことができる。従って、グループ１〜７のそれぞれにつき１バイトで合計７バイトあればよい。
【００２３】
次に、制御部６は、変数ｆに設定されたフレーム数を６５５３６で除算したときの余り（除余）を配列ｏｆｆｓｅｔ（ｔ−１）に設定する（ステップＳＴ６）。
配列ｏｆｆｓｅｔ（ｔ−１）は、トラック番号（ｔ−１）のオフセット値が設定される配列である。オフセットはトラックが属するグループの先頭位置からこのトラックの記録開始位置までのフレーム数であって、０〜６５５３５の６５５３６個の数値のいずれかをとることができる。６５５３６は１６桁の二進数で表せるため、１トラックあたりのオフセットの値は２バイトで表すことができる。従って、全てのトラック分のオフセット値を保持するために必要な記憶領域は、９９（トラック）×２（バイト）＝１９８バイトとなる。
【００２４】
次に、制御部６は、次のトラック番号のトラックについて上記処理を行うため、変数ｔに１を加算する（ステップＳＴ７）。
この後、制御部６は、全てのトラックの記録開始位置をＣＤかた読み出して上記処理を完了したかどうかを確認する（ステップＳＴ８）。ここで、全てのトラックについて処理が完了していなければ（ステップＳＴ８；ＮＯ）、ステップＳＴ２の処理に戻り、上記の処理を繰り返す。
【００２５】
全てのトラックの処理が完了していた場合（ステップＳＴ８；ＹＥＳ）、制御部６は、全てのトラックについての配列ｏｆｆｓｅｔの値および配列ｇ（ｎ）の値をメモリ６ａに記憶する。ＣＤの規格上の最大トラック数である９９トラック分のオフセットとグループ内トラック数をメモリ６ａに保持する場合、図６（ａ）に示すように、各トラックのトラック番号順にオフセットが記憶され、その容量は１９８バイトとなる。さらに、図６（ｂ）に示すように、グループ内トラック数は、グループ１〜７について７バイトの記憶容量である。従って、本発明では、合計２０５バイトの記憶容量で済む。
【００２６】
従来では、ＣＤ−ＤＡにおける全てのトラック分の記録開始位置情報を記憶する場合、２９７バイトが必要であったが、本発明は２０５バイトで済み、メモリ６ａで９２バイトの記憶領域の節約が可能となる。
またＣＤ−ＲＯＭに１０００ファイルを記録した場合、従来では、３０００バイト必要であった。これに対して、本発明では、まず各ファイルのオフセットを記憶するために、１０００（ファイル）×２（バイト）＝２０００バイトの記憶容量が必要である。
さらにＣＤ−ＤＡと同様に７つのグループに分けると、グループ内に設定可能な最大のファイル数は１０００となる。ここで、１０００は１０桁の二進数で表せるため、グループごとのファイル数の値は２バイトで表すことができる。すなわち、全てのグループのグループ内ファイル数を記憶するには、７（グループ）×２（バイト）＝１４バイトが必要となる。従って、本発明では合計２０１４バイトの記憶容量で済み、メモリ６ａで３０００−２０１４＝９８６バイトの記憶領域の節約が可能である。
【００２７】
図７は、実施の形態１に係るディスク再生装置によるトラック読み出し処理を示すフローチャートである。この図７に沿ってオフセット値およびグループ内トラック数から目的のトラックのデータを読み出す処理について述べる。
まず、制御部６は、目的のトラックのトラック番号を変数ｔに設定する（ステップＳＴ１ａ）。次に、制御部６は、変数ｔに設定したトラック番号に対応するオフセットの値を示す配列ｏｆｆｓｅｔ（ｔ−１）をメモリ６ａから読み出し、目的のトラックの記録開始位置までのフレーム数を表す変数ｆに設定する（ステップＳＴ２ａ）。
制御部６は、カウンタ変数ｎおよびグループ番号変数ｇ＿ｎｏに初期値０を設定して（ステップＳＴ３ａ）、グループ番号変数ｇ＿ｎｏに１を加算する（ステップＳＴ４ａ）。
【００２８】
続いて、制御部６は、グループ番号変数ｇ＿ｎｏの値に基づいて、メモリ６ａから対応するグループのグループ内トラック数を読み出し、カウンタ変数ｎに加算する（ステップＳＴ５ａ）。トラック番号はＣＤの記録順の先頭からの通し番号であるので、カウンタ変数ｎにグループ内トラック数を加算してトラック番号と比較することにより、目的のトラックのトラック番号とグループ内のトラック数から、目的のトラックが属するグループを特定することができる。
【００２９】
制御部６は、カウンタ変数ｎの値が変数ｔの値、すなわち、目的のトラックのトラック番号以上になったかどうかを確認する（ステップＳＴ６ａ）。ここでカウンタ変数ｎが変数ｔ未満であれば（ステップＳＴ６ａ；ＮＯ）、ステップＳＴ４ａの処理に戻る。
カウンタ変数ｎが変数ｔ以上である場合（ステップＳＴ６ａ；ＹＥＳ）、制御部６は、グループ番号変数ｇ＿ｎｏが１であれば（ステップＳＴ７ａ；ｇ＿ｎｏ＝１）、ＣＤにおけるトラックの先頭記録位置からグループ１の先頭位置までに記録されたフレーム数である基準値を変数ｆに加算する（グループ１の場合、図５に示すように基準値は０であり、何も加算されない）。そして、制御部６は、基準値を加算した変数ｆに設定されている値（フレーム数）を、分、秒、フレームに換算して、ＣＤにおける目的のトラックの記録開始位置を求める（ステップＳＴ９ａ）。
【００３０】
グループ番号変数ｇ＿ｎｏが２である場合（ステップＳＴ７ａ；ｇ＿ｎｏ＝２）、図５に示すように、ＣＤにおけるトラックの先頭記録位置からグループ２の先頭位置までに記録されたフレーム数である基準値は６５５３６である。
制御部６は、変数ｆに基準値６５５３６を加算し（ステップＳＴ８ａａ）、基準値を加算した変数ｆに設定されている値（フレーム数）を、分、秒、フレームに換算して、ＣＤにおける目的のトラックの記録開始位置を求める（ステップＳＴ９ａ）。
【００３１】
グループ番号変数ｇ＿ｎｏが３である場合（ステップＳＴ７ａ；ｇ＿ｎｏ＝３）、図５に示すように、ＣＤにおけるトラックの先頭記録位置からグループ３の先頭位置までに記録されたフレーム数である基準値は１３１０７２である。制御部６は、変数ｆに基準値１３１０７２を加算し（ステップＳＴ８ａｂ）、基準値を加算した変数ｆに設定されている値（フレーム数）を、分、秒、フレームに換算して、ＣＤにおける目的のトラックの記録開始位置を求める（ステップＳＴ９ａ）。
グループ番号変数ｇ＿ｎｏが４である場合（ステップＳＴ７ａ；ｇ＿ｎｏ＝４）、図５に示すように、ＣＤにおけるトラックの先頭記録位置からグループ４の先頭位置までに記録されたフレーム数である基準値は１９６６０８である。制御部６は、変数ｆに基準値１９６６０８を加算し（ステップＳＴ８ａｃ）、基準値を加算した変数ｆに設定されている値（フレーム数）を、分、秒、フレームに換算して、ＣＤにおける目的のトラックの記録開始位置を求める（ステップＳＴ９ａ）。
【００３２】
グループ番号変数ｇ＿ｎｏが５である場合（ステップＳＴ７ａ；ｇ＿ｎｏ＝５）、図５に示すように、ＣＤにおけるトラックの先頭記録位置からグループ５の先頭位置までに記録されたフレーム数である基準値は２６２１４４である。制御部６は、変数ｆに基準値２６２１４４を加算し（ステップＳＴ８ａｄ）、基準値を加算した変数ｆに設定されている値（フレーム数）を、分、秒、フレームに換算して、ＣＤにおける目的のトラックの記録開始位置を求める（ステップＳＴ９ａ）。
グループ番号変数ｇ＿ｎｏが６である場合（ステップＳＴ７ａ；ｇ＿ｎｏ＝６）、図５に示すように、ＣＤにおけるトラックの先頭記録位置からグループ６の先頭位置までに記録されたフレーム数である基準値は３２７６８０である。制御部６は、変数ｆに基準値３２７６８０を加算し（ステップＳＴ８ａｅ）、基準値を加算した変数ｆに設定されている値（フレーム数）を、分、秒、フレームに換算して、ＣＤにおける目的のトラックの記録開始位置を求める（ステップＳＴ９ａ）。
【００３３】
グループ番号変数ｇ＿ｎｏが７である場合（ステップＳＴ７ａ；ｇ＿ｎｏ＝７）、図５に示すように、ＣＤにおけるトラックの先頭記録位置からグループ７の先頭位置までに記録されたフレーム数である基準値は３９３２１６である。制御部６は、変数ｆに基準値３９３２１６を加算し（ステップＳＴ８ａｆ）、基準値を加算した変数ｆに設定されている値（フレーム数）を、分、秒、フレームに換算して、ＣＤにおける目的のトラックの記録開始位置を求める（ステップＳＴ９ａ）。
ステップＳＴ９ａで目的のトラックの記録開始位置を求めると、制御部６は、ＤＳＰ４に指示してドライバ７を駆動させることで、上記記録開始位置に光ピックアップ２を移動させて当該トラックの楽曲データの再生処理を開始する。
【００３４】
以上のように、この実施の形態１よれば、ＣＤに記録可能な合計のフレーム数を予め定めた単位フレーム数ごとの複数のグループに分け、ＣＤから読み出したトラックの記録開始位置に基づいて、このトラックが属するグループの先頭位置からこのトラックの記録開始位置までに記録されたフレーム数であるオフセットと当該グループ内のトラック数を算出する制御部６と、制御部６が算出したオフセットの値を、ＣＤの記録順に付与されたトラック番号順に記憶し、グループごとにグループ内トラック数を記憶するメモリ６ａとを備える。
このように構成することで、ＣＤ−ＤＡの場合、従来は、全てのトラック分の記録開始位置情報を記憶すると２９７バイトが必要であったが、本発明では２０５バイトで済み、メモリ６ａで９２バイトの記憶領域が削減され、記憶領域の消費を約３分の２に節約することが可能となる。
【００３５】
また、この実施の形態１によれば、制御部６は、トラック番号およびグループ内トラック数に基づいて目的のトラックが属するグループを特定し、ＣＤにおけるトラックの先頭記録位置から当該グループの先頭位置までに記録されたフレーム数である基準値と目的のトラックのトラック番号に対応するオフセットの値とに基づいてＣＤにおけるトラックの記録開始位置を特定する。これにより、メモリ６ａに予め保持した情報から、目的のトラックの記録開始位置を正確に求めることができる。
【００３６】
なお、本発明はその発明の範囲内において、実施の形態の任意の構成要素の変形、もしくは実施の形態の任意の構成要素の省略が可能である。
【符号の説明】
【００３７】
１  ディスク再生装置、２  光ピックアップ、３  ＲＦアンプ、４  ＤＳＰ、５  スピーカ、６  制御部、６ａ  メモリ、７  ドライバ、８  スピンドルモータ。
【図１】
2015162256.tif 000003
【図２】
2015162256.tif 000004
【図３】
2015162256.tif 000005
【図４】
2015162256.tif 000006
【図５】
2015162256.tif 000007
【図６】
2015162256.tif 000008
【図７】
2015162256.tif 000009